(57)【特許請求の範囲】
【請求項１】
ケース本体に、コネクタ装着部が備えられてなるケースと、該ケース内に収納され且つ電線が配索された配線板とを備え、該配線板の端縁部に前記電線に接続された端子が立設されるとともに、前記コネクタ装着部内に前記端子が収容された電気接続箱であって、
前記配線板は、中央分割配線板と、一対の分割配線板とを有し、前記中央分割配線板は、前後左右方向に沿って複数の電線が配索され、前記一対の分割配線板は、前記中央分割配線板に配索された前後方向又は左右方向の電線が配索され、表面には前記中央分割配線板の前後左右方向に沿って配索された複数の電線を避けるための凹部が設けられると共に、前記中央分割配線板に重ねられて中央分割配線板の中心部でそれぞれの端縁部に立設された前記端子によって中端子の群が形成されていることを特徴とする電気接続箱。
【請求項２】
ケース本体に、コネクタ装着部が備えられてなるケースと、該ケース内に収納され且つ積み重ねられた複数の分割配線板とを備え、前記分割配線板に端子が設けられ、互いに積み重ねられた分割配線板間に亘って電線を配索する電気接続箱の電線配索方法であって、
前記複数の分割配線板は、中央分割配線板と、一対の分割配線板とを有し、前記一対の分割配線板は、表面に前記中央分割配線板の前後左右方向に沿って配索される複数の電線を避けるための凹部が設けられ、
前記中央分割配線板の前後又は左右に前記一対の分割配線板を同一平面上に近接して配置し、
前記中央分割配線板上に前後左右方向に複数の電線を配置し、前記一対の分割配線板上に前記中央分割配線板上に配置される前後方向又は左右方向の電線を配置し、前記電線と前記端子とを接続した後、
前記中央分割配線板の中心部で前記一対の分割配線板のそれぞれの端縁部に設けられた前記端子によって中端子の群が形成されるように前記中央分割配線板と前記一対の分割配線板とを折り畳むことを特徴とする電気接続箱の電線配索方法。
【発明の詳細な説明】
【０００１】
【発明の属する技術分野】
この発明は電気接続箱およびその電線配索方法に関し、さらに詳しくは、ケースに配線板が収納された小型の電気接続箱およびその電線配索方法に関する。
【０００２】
【従来の技術】
従来の電気接続箱としては、図９に示すようなケース３０に、図１０に示すような配線板４０を収納したものがある。ケース３０は、箱体状のケース本体３１の上面に一体的にコネクタ装着部が配設されてなる。コネクタ装着部としては、ケース本体３１の左右縁に配設される左コネクタ装着部３２、右コネクタ装着部３３と、前縁に配設される前コネクタ装着部３４とからなる。
【０００３】
一方、配線板４０は、図１０に示すように、絶縁基板４１と、この上面に前後左右方向に直線的に配索される電線４２と、これらの電線４２の端部に接続される端子４３Ａ、４３Ｂ、４３Ｃとからなる。なお、図１１は、配線板４０における電線４２の配索例を示す。
【０００４】
【発明が解決しようとする課題】
従来の電気接続箱に使用される配線板４０の電線４２は、図１０及び図１１に示すように前コネクタ装着部３４内に挿入、配置される端子４３Ａに接続される複数の電線４２Ａと、左、右コネクタ装着部３２、３３内に挿入、配置される端子４３Ｂ、４３Ｃに接続される複数の電線４２Ｂとからなり、電線４２Ａと電線４２Ｂとは互いに直交して配索される。端子４３Ｂ、４３Ｃに接続される電線４２Ｂは、図１１に示すように電線４２Ｂのうち最も外側に位置する電線４２Ｂよりも、外側にさらに寸法ａだけ伸延して配索される。なお、端子４３Ｂ、４３Ｃは伸延した電線４２Ｂの端部に立設状態で接続される。しかし、このような電気接続箱では、配線板４０を上記構造にしないと、左、右コネクタ装着部３２、３３に挿入される端子４３Ｂ、４３Ｃが前コネクタ装着部３４に挿入される端子４３Ａに連結される電線４２Ａに干渉し、端子４３Ｂ、４３Ｃがその電線４２Ｂと連結できなくなる。
【０００５】
このような配線板４０では、図９に示すように、従来のケース３０のコネクタ装着部としては左、右コネクタ装着部３２、３３が前コネクタ装着部３４の両端から寸法Ａ（＞ａ）だけはみ出した位置に形成されることが必要になる。すなわち、この寸法２Ａの分だけケース３０は前コネクタ装着部３４の全長寸法より長寸のものに形成され、その分だけ大型化される問題点がある。
【０００６】
以上により、従来のケース３０上面の面積は、図９に示すように前コネクタ装着部３４の全長寸法に２Ａを加えた寸法の横幅と、左、右コネクタ装着部３２、３３の全長に前コネクタ装着部３４の幅寸法を加えた寸法と、を掛け合わせた大きさとなる。このため、従来のケース３０は大型のものであった。
【０００７】
そこで、本発明の目的は、配線板および電気接続箱を小型化し、省スペース化できる電気接続箱およびその電線配索方法の提供することにある。
【０００８】
【課題を解決するための手段】
請求項１記載の発明は、ケース本体に、コネクタ装着部が備えられてなるケースと、該ケース内に収納され且つ電線が配索された配線板とを備え、該配線板の端縁部に前記電線に接続された端子が立設されるとともに、前記コネクタ装着部内に前記端子が収容された電気接続箱であって、前記配線板は、中央分割配線板と、一対の分割配線板とを有し、前記中央分割配線板は、前後左右方向に沿って複数の電線が配索され、前記一対の分割配線板は、前記中央分割配線板に配索された前後方向又は左右方向の電線が配索され、表面には前記中央分割配線板の前後左右方向に沿って配索された複数の電線を避けるための凹部が設けられると共に、前記中央分割配線板に重ねられて中央分割配線板の中心部でそれぞれの端縁部に立設された前記端子によって中端子の群が形成されていることを特徴とする。
【０００９】
このような構成の請求項１記載の発明では、ケース内に収納される配線板が複数の分割配線板を重ねることで、ケースに対する占有面積を小さくすることができる。これに伴って、ケース自体の大きさも小さくすることができ、電気接続箱を小型化することができる。
【００１０】
請求項２記載の発明は、ケース本体に、コネクタ装着部が備えられてなるケースと、該ケース内に収納され且つ積み重ねられた複数の分割配線板とを備え、前記分割配線板に端子が設けられ、互いに積み重ねられた分割配線板間に亘って電線を配索する電気接続箱の電線配索方法であって、前記複数の分割配線板は、中央分割配線板と、一対の分割配線板とを有し、前記一対の分割配線板は、表面に前記中央分割配線板の前後左右方向に沿って配索される複数の電線を避けるための凹部が設けられ、前記中央分割配線板の前後又は左右に前記一対の分割配線板を同一平面上に近接して配置し、前記中央分割配線板上に前後左右方向に複数の電線を配置し、前記一対の分割配線板上に前記中央分割配線板上に配置される前後方向又は左右方向の電線を配置し、前記電線と前記端子とを接続した後、前記中央分割配線板の中心部で前記一対の分割配線板のそれぞれの端縁部に設けられた前記端子によって中端子の群が形成されるように前記中央分割配線板と前記一対の分割配線板とを折り畳むことを特徴とする。
【００１３】
このような請求項２記載の発明では、複数の分割配線板を同一平面上に配置した状態で電線を配索するため、電線の配索作業が一枚の配線板に電線配索を行うのと略同様に容易となる。分割配線板同士は、電線を曲げることで容易に重ねることができる。このため、分割配線板自体の面積は小さくても、複数の分割配線板全体では、規模の大きい電気回路を形成することが可能となる。
【００１４】
【発明の実施の形態】
以下、本発明に係る電気接続箱およびその電線配索方法の実施形態を図面に示す実施形態に基づいて説明する。
【００１５】
（第１実施形態）
図１は本実施形態に係る電気接続箱１の外観を示す斜視図、図２は電気接続箱１内に収納される配線板２の折り畳んだ状態を示す斜視図、図３は配線板２を構成する分割配線板２Ａ、２Ｂを展開した状態での電線配索例を示す平面説明図、図４は分割配線板２Ａ、２Ｂを展開した状態の斜視図、図５は分割配線板２Ａ、２Ｂを折り畳む途中の状態を示す斜視図である。
【００１６】
本実施形態に係る電気接続箱１は、図１に示すようなケース３内に、図２に示すような配線板２が収容されて構成されている。
【００１７】
図１に示すように、ケース３は、略直方体容器状のケース本体４の上下面のそれぞれの３辺に、左コネクタ装着部５、右コネクタ装着部６、前コネクタ装着部７が配設されている。なお、これらの左、右、前コネクタ装着部５、６、７は、フード状に形成され、ケース本体４の上下面で対応する位置に配置されている。
【００１８】
一方、本実施形態において配線板２は、図２〜図５に示すように、一対の分割配線板２Ａ、２Ｂで構成されている。これら分割配線板２Ａ、２Ｂは、略同一形状で略同一の大きさに設定されている。それぞれの分割配線板２Ａ、２Ｂでは、絶縁基板８Ａ、８Ｂの表面に左右方向に沿って配置されている複数の電線９Ａと、前後方向に沿って配置されている複数の電線９Ｂと、が直交するように配索されている。なお、前後方向に沿って配索された複数の電線９Ｂのうち所定の数の電線９Ｂは、分割配線板２Ａ、２Ｂで共通に用いられている。そして、左右方向の電線９Ａの両端には、端子１０Ａ、１０Ｂが接続されている。また、前後方向の電線９Ｂの両端には、分割配線板８Ａ側の端子１０Ｃと、分割配線板８Ｂ側の端子１０Ｃとが接続されている。なお、図２に示すように、分割配線板２Ａ、２Ｂが折り畳まれて重ね合わされた状態では、互いの分割配線板２Ａ、２Ｂの端子１０Ａ、１０Ｂ、１０Ｃ同士は、上下逆方向に突出するように配置される。
【００１９】
なお、このように重ね合わされた分割配線板２Ａ、２Ｂ同士は、図示しないロック手段により固定するようになっている。
【００２０】
そして、図２に示すように分割配線板２Ａ、２Ｂ同士が折り重ねられた配線板２は、図１に示すように、ケース３の上下面に形成されたコネクタ装着部５、６、７に端子１０Ａ、１０Ｂ、１０Ｃのそれぞれの群が挿入、配置されて、電気接続箱１が構成されている。なお、図示しないが、ケース３は、上下に分割、結合が可能となるように形成されており、配線板２の収納が行えるようになっている。
【００２１】
このような構成の電気接続箱１では、配線板２が分割配線板２Ａ、２Ｂを重ねて構成されるため、１枚の配線板を用いる場合に比較して半分の面積となる。このため、電気接続箱１を小型化することができる。
【００２２】
次に、図４および図５を用いて、電線配索方法と配線板２の作製方法を説明する。
【００２３】
（イ）まず、図４に示すように、絶縁基板８Ａ、８Ｂを折り曲げ予定される縁部同士が平行かつ近接するように配置させる。そして、絶縁基板８Ａ、８Ｂのそれぞれに立設された所定の端子１０Ａ、１０Ｂ間に電線９Ａを渡し、この電線９Ａの端部を端子１０Ａ、１０Ｂに接続する。
【００２４】
（ロ）その後、両絶縁基板８Ａ、８Ｂの前後方向に電線９Ｂを渡し、その電線９Ｂの両端部をそれぞれの絶縁基板８Ａ、８Ｂの端子１０Ｃ、１０Ｃに接続する。
【００２５】
（ハ）次に、図５に示すように、両分割配線基板２Ａ、２Ｂの裏面同士を合わせるように折り畳む。このとき、図５に示すように、両分割配線基板２Ａ、２Ｂ間には、複数の電線９Ｂが配索されているだけであるため、両分割配線基板２Ａ、２Ｂを容易に折り畳むことができる。
【００２６】
（ニ）そして、図２に示すように形成された配線板２を、図１に示すように、ケース３内に収納することにより、電気接続箱１の作製が完了する。
【００２７】
以上、第１実施形態について説明したが、本発明はこれに限定されるものではなく、構成の要旨に付随する各種の設計変更が可能である。例えば、上記した実施形態では、２枚の分割配線板２Ａ、２Ｂで配線板２を構成したが、３枚以上の分割配線板からなるようにしてもよい。
【００２８】
また、上記した実施形態では、コネクタ装着部をコ字状に配置したが、この配置に限定されるものではない。
【００２９】
さらに、上記した実施形態では、電線９Ａ、９Ｂを直線状に配索したが、曲線状に配置したり、一端側のみを端子に接続するなどの変更が可能である。
【００３０】
（第２実施形態）
以下、本発明にかかる電気接続箱１１の第２実施形態について説明する。なお、上記構成と同一構成部分には、同一符号を付して詳細な説明を省略する。図６は本実施形態に係る電気接続箱１１の外観を示す斜視図、図７は電気接続箱１１内に収納される配線板１２の折り畳んだ状態を示す斜視図、図８は配線板１２を展開した状態の斜視図である。
【００３１】
本実施形態に係る電気接続箱１１は、図６に示すようなケース１３内に、図７に示すような配線板１２が収容されて構成されている。
【００３２】
図６に示すように、ケース１３は、略直方体容器状のケース本体１４の上面の一辺に、前コネクタ装着部１５が配設され、ケース本体１４の中心部に中コネクタ装着部１６が配設されている。なお、これらの前、中コネクタ装着部１５，１６は、フード状に形成されている。
【００３３】
一方、本実施形態において配線板１２は、図７および図８に示すように、電線９Ａおよび電線９Ｂの主な配索がなされている中央分割配線板１７Ａに左、右列端子１９Ｂ，１９Ｃをそれぞれ有した他の一対の左、右分割配線板１７Ｂ，１７Ｃが重ねられて構成されている。
【００３４】
中央分割配線板１７Ａは、図８に示すように、絶縁基板１８Ａの表面に左右方向に沿って配置されている複数の電線９Ａと、前後方向に沿って配置されている複数の電線９Ｂとが直交するように配索され、それらの電線９Ａと９Ｂとの主な配索がなされている。この中央分割配線板１７Ａは、配索された電線９Ａと電線９Ｂが所望の交差部分で接続されている。この中央分割配線板１７Ａの左右方向の電線９Ａは、絶縁基板１８Ａの両端縁部からさらに伸延されている。また、中央分割配線板１７Ａの前後方向の電線９Ｂは、一方の端末に上方に立設された前端子１９Ａが接続されている。
【００３５】
このような中央分割配線板１７Ａに重ねられる左、右分割配線板１７Ｂ，１７Ｃは、略同一形状で略同一の大きさに設定されている。これらの左、右分割配線板１７Ｂ，１７Ｃは、配線板１２の展開状態で中央分割配線板１７Ａの左右両側にそれぞれ配置されており、電線９Ａの中央分割配線板１７Ａの両端縁部から伸延された部分が絶縁基板の表面に左右方向に沿って配置されている。したがって、左、右分割配線板１７Ｂ，１７Ｃは、電線９Ａが中央分割配線板１７Ａとの間で共通に用いられている。
【００３６】
そして、左、右分割配線板１７Ｂ，１７Ｃは、図７に示すように、展開状態から電線９Ａと共に折り返されて中央分割配線板１７Ａに重ね合わされ、その中央分割配線板１７Ａに設けられているロック爪２０により固定されるようになっている。また、左、右分割配線板１７Ｂ，１７Ｃは、図８に示すように、絶縁基板１８Ｂ，１８Ｃの表面に、中央分割配線板１７Ａに重ね合わされた状態で電線９Ａおよび電線９Ｂを避けるための凹部２１Ａ，２１Ｂが設けられている。
【００３７】
これらの左、右分割配線板１７Ｂ，１７Ｃは、絶縁基板１８Ｂ，１８Ｃの表面側で電線９Ａの端末に接続され、配線板１２の展開状態で絶縁基板１８Ｂ，１８Ｃの裏面の端縁部から下方に立設された左列端子１９Ｂと右列端子１９Ｃとを有している。これらの左、右列端子１９Ｂ，１９Ｃは、図７に示すように、左、右分割配線板１７Ｂ，１７Ｃが中央分割配線板１７Ａに重ね合わされた状態で、中央分割配線板１７Ａの中心部に上方に立設された状態の２列の中端子２２の群を形成する。
【００３８】
そして、図７に示すように、中央分割配線板１７Ａに左、右分割配線板１７Ｂ，１７Ｃが折り重ねられた配線板１２は、図６に示すケース１３内に収納されることにより、ケース１３の上面に形成されたコネクタ装着部１５，１６に前端子１９Ａの群および中端子２２の群がそれぞれの挿入、配置されて電気接続箱１１を構成する。なお、図示しないが、ケース１３は、上記実施形態と同様に、上下に分割、結合が可能となるように形成されており、配線板１２の収納が行えるようになっている。
【００３９】
このような電気接続箱１１では、配線板１２の展開状態から左、右分割配線板１７Ｂ，１７Ｃを電線９Ａと共に折り返して電線９Ａおよび電線９Ｂの主な配索がなされている中央分割配線板１７Ａに重ね合わせることにより、左、右分割配線板１７Ｂ，１７Ｃの左列端子１９Ｂと右列端子１９Ｃとで中央分割配線板１７Ａの中心部上に載置された２列の中端子２２の群を形成することができる。
【００４０】
したがって、電気接続箱１１では、配線板１２を展開した状態で電線９Ａおよび電線９Ｂを配索すれば、中端子２２が形成されていない中央分割配線板１７Ａ上に電線９Ａおよび電線９Ｂの主な配索がなされるため、その電線９Ａおよび電線９Ｂの主な配索を、一枚の配線板に直接中端子が形成された場合に比較して直線的に行うことができる。
【００４１】
この結果、電気接続箱１１では、配線板１２に使用される電線数を低減し、且つ電線９Ａおよび電線９Ｂに迂回部分を設けるような不具合をも防止することができる。このため、本実施形態の電気接続箱１１でも、上記第１実施形態と同様に、配線板１２のケース１３内での占有面積を小さくすることができ、これに伴ってケース１３を小さくすることにより、全体としての小型化、軽量化を図ることができる。
【００４２】
次に、図７および図８を用いて、電線配索方法と配線板１２の作製方法を説明する。
【００４３】
（イ）まず、図８に示すように、絶縁基板１８Ａ，１８Ｂ，１８Ｃを折り曲げ予定される縁部同士が平行かつ近接するように配置させる。そして、絶縁基板１８Ｂ，１８Ｃのそれぞれに立設された所定の左、右列端子１９Ｂ，１９Ｃ間に絶縁基板１８Ａを通って直線的に電線９Ａを渡し、この電線９Ａの端部を左、右列端子１９Ｂ，１９Ｃに接続する。
【００４４】
（ロ）その後、絶縁基板１８Ａの前後方向に直線的に電線９Ｂを渡し、その電線９Ｂの一方の端末を前端子１９Ａに接続する。
【００４５】
（ハ）次に、図７に示すように、左、右分割配線板１７Ｂ，１７Ｃをその表面が中央分割配線板１７Ａの表面に合わせるように折り畳む。このとき、図８に示すように、左、右分割配線板１７Ｂ，１７Ｃ間には、複数の電線９Ａが配索されているだけであるため、左、右分割配線板１７Ｂ，１７Ｃを容易に折り畳むことができる。
【００４６】
（ニ）そして、図７に示すように形成された配線板１２を、図６に示すケース１３内に収納することにより、電気接続箱１１の作製が完了する。
【００４７】
以上、第２実施形態について説明したが、本発明はこれに限定されるものではなく、構成の要素に付随する各種の設計変更が可能である。例えば、上記した実施形態では、中央分割配線板１７Ａとこの中央分割配線板１７Ａの表面に重ね合わされる一対の左、右分割配線板１７Ｂ，１７Ｃとで配線板１２を構成したが、さらに中央分割配線板１７Ａの裏面に重ね合わされる中央分割配線板およびその中央分割配線板に重ね合わされる左、右分割配線板を設けてもよい。
【００４８】
また、中央分割配線板１７Ａの裏面に重ね合わされる中央分割配線板または中央分割配線板１７Ａの裏面に重ね合わされる左、右分割配線板のいずれか一方を設けてもよい。
【００４９】
さらに、上記した実施形態では、中央分割配線板１７Ａの表面に重ね合わされる一対の左、右分割配線板１７Ｂ，１７Ｃを有していたが、左、右分割配線板１７Ｂ，１７Ｃのいずれか一方のみを有する構成としてもよい。
【００５０】
また、上記実施形態では、配線板１２が前端子１９Ａと中端子２２とを備えた構成であったが、上記第１実施形態のように、さらに左、右端子を備えた構成としてもよい。
【００５１】
さらに、上記実施形態では、左列端子１９Ｂと右列端子１９Ｃとで中央分割配線板１７Ａの中心部に中端子２２の群を形成していたが、左列端子１９Ｂと右列端子１９Ｃとで中央分割配線板１７Ａの端縁部に設けられた端子の群を形成するようにしてもよい。
【００５２】
【発明の効果】
以上説明したように、請求項１の発明によれば、配線板を複数の分割配線板を重ね合わせる構成としたことにより、配線板のケース内での占有面積を小さくすることができ、これに伴ってケースも小さくすることができる。このため、電気接続箱の小型化、軽量化を達成することができる。
【００５５】
請求項２記載の発明によれば、複数の分割配線板を用いても電線の配索作業が簡単であるため、小型の電気接続箱を容易且つ低廉に作製できるという効果がある。
【図面の簡単な説明】
【図１】本発明の第１実施形態に係る電気接続箱の実施形態を示す斜視図である。
【図２】第１実施形態に係る電気接続箱に収納される配線板を示す斜視図である。
【図３】第１実施形態に係る電気接続箱における電線配索例を示す平面説明図である。
【図４】第１実施形態に係る電気接続箱の電線配索工程を示す斜視図である。
【図５】第１実施形態に係る電気接続箱の配線板の作製工程を示す斜視図である。
【図６】第２実施形態に係る電気接続箱の外観を示す斜視図である。
【図７】第２実施形態に係る電気接続箱内に収納される配線板の折り畳んだ状態を示す斜視図である。
【図８】第２実施形態に係る配線板を展開した状態の斜視図である。
【図９】従来の電気接続箱のケースを示す斜視図である。
【図１０】従来の電気接続箱に収納される配線板の斜視図である。
【図１１】従来の電気接続箱に収納される配線板の電線配索例を示す平面図である。
【符号の説明】
１，１１  電気接続箱
２，１２  配線板
２Ａ，２Ｂ，１７Ａ，１７Ｂ，１７Ｃ  分割配線板
３，１３  ケース
４，１４  ケース本体
５、６、７，１５，１６  コネクタ装着部
９Ａ、９Ｂ  電線
【図１】
0003914017.tif 000002
【図２】
0003914017.tif 000003
【図３】
0003914017.tif 000004
【図４】
0003914017.tif 000005
【図５】
0003914017.tif 000006
【図６】
0003914017.tif 000007
【図７】
0003914017.tif 000008
【図８】
0003914017.tif 000009
【図９】
0003914017.tif 000010
【図１０】
0003914017.tif 000011
【図１１】
0003914017.tif 000012